(57)【要約】
【課題】
　本考案は、再び成長することがないように雑草を取り除くことができる草取具を実現する。
【解決手段】
　刃部材２に保持部３が装着され、当該刃部材２を介して雑草Ｇを取り除く草取具１において、当該刃部材２は、刃部４と、保持部３の長手方向に対してほぼ直角に形成され、かつ刃部４と一体形成した切り欠き部７とを有するようにしたことにより、一方の手で雑草Ｇが握持され、切り欠き部７に当該雑草Ｇの根元近傍部分を挟み込んだ状態で保持部３を保持した他方の手によって草取具１が切り欠き部７側に引き寄せられることにより、一方の手で握持した雑草Ｇの根元部分に負荷を加え、当該雑草Ｇを切断することなく根元ごと土壌から引き抜くことができ、かくして再び成長することがないように雑草Ｇを取り除くことができる。
【選択図】
　図１
0003100364.tif 000002
【実用新案登録請求の範囲】
【請求項１】
　刃部材に保持部が装着され、当該刃部材を介して雑草を取り除く草取具において、
　上記刃部材は、刃部と、上記保持部の長手方向に対してほぼ直角に形成され、かつ上記刃部と一体形成した切り欠き部とを有する
　ことを特徴とする草取具。
【請求項２】
　上記刃部材は、板材でなり、当該板材の一端側が上記保持部の長手方向に対して直角に形成され、
　上記一端側に上記刃部及び切り欠き部を設ける
　ことを特徴とする請求項１に記載の草取具。
【請求項３】
　上記切り欠き部は、上記雑草を挟み込むような凹所を有する
　ことを特徴とする請求項１または２に記載の草取具。
【請求項４】
　上記板材の一端側に対向した他端側に、第二切り欠き部を設ける
　ことを特徴とする請求項２または３に記載の草取具。
【考案の詳細な説明】
【技術分野】
【０００１】
　本考案は草取具に関し、例えば雑草を取り除く際に用いる草取具に適用して好適なものである。
【背景技術】
【０００２】
　従来、雑草を取り除く際に用いられる草取具としては、当該雑草の根元近傍部分を切断する草刈鎌がある。
【考案の開示】
【考案が解決しようとする課題】
【０００３】
　ところが、かかる構成の草刈鎌では、雑草の根元を取り残していることから、直ぐに新たな雑草が成長してしまうという問題があった。
【０００４】
　本考案は以上の点を考慮してなされたもので、再び成長することがないように雑草を取り除くことができる草取具を提案しようとするものである。
【課題を解決するための手段】
【０００５】
　かかる課題を解決するため本考案においては、刃部材に保持部が装着され、当該刃部材を介して雑草を取り除く草取具において、刃部材は、刃部と、保持部の長手方向に対してほぼ直角に形成され、かつ刃部と一体形成した切り欠き部とを有するようにした。
【０００６】
　また、本考案においては、刃部材は板材でなり、当該板材の一端側が保持部の長手方向に対して直角に形成され、一端側に刃部及び切り欠き部を設けるようにした。
【０００７】
　さらに、本考案においては、切り欠き部は雑草を挟み込むような凹所を有するようにした。
【０００８】
　さらに加えて、本考案においては、板材の一端側に対向した他端側に、第二切り欠き部を設けるようにした。
【考案の効果】
【０００９】
　本考案の草取具は、一方の手で雑草が握持され、切り欠き部に当該雑草の根元近傍部分を挟み込んだ状態で保持部を保持した他方の手によって草取具が切り欠き部側に引き寄せられることにより、一方の手で握持した雑草の根元部分に負荷を加え、当該雑草を切断することなく根元ごと土壌から引き抜くことができ、かくして再び成長することがないように雑草を取り除くことができる。
【００１０】
　また、本考案の草取具は、刃部材の他端側にある雑草であっても、一方の手で雑草が握持され、他端側の第二切り欠き部に当該雑草の根元近傍部分を挟み込んだ状態で保持部を保持した他方の手によって草取具が第二切り欠き部側に押し離されることにより、一方の手で握持した雑草の根元部分に負荷を加え、第二切り欠き部によっても当該雑草を根元ごと土壌から引き抜くことができる。
【考案を実施するための最良の形態】
【００１１】
　以下図面に基づいて、本考案の一実施の形態を詳述する。
【００１２】
　図１において、１は全体として草取具を示し、刃部材２の一端の根元側に円柱状の保持部３を装着した構成を有する。
【００１３】
　刃部材２は、刃部４と、保持部３の長手方向に対してほぼ直角に形成され、かつ当該刃部４の一端側に一体形成するように凹所５及び凸所６をもつ切り欠き部７とを有する。
【００１４】
　刃部材２は、板材でなり、当該板材の一端2a側が保持部３の長手方向に対して直角に形成され、当該一端2a側に刃部４及び切り欠き部７が設けられている。
【００１５】
　実際上、図２（図１のＡにおける断面図）に示すように、刃部材２は、その断面が僅かに湾曲し、かつ他端2b側から一端2aの刃部４及び切り欠き部７側にいくに従って鋭角になるように形成され、凹所５の位置においてほぼ断面長方形状に形成されている。
【００１６】
　因みに、刃部材２は、保持部３が装着されている根元側から先端側にかけて僅かに湾曲状にそうように形成されている。
【００１７】
　以上の構成において、図３に示すように、雑草Ｇを取り除く作業者は、一方の手で草取具１の保持部３（図１）を保持した状態で、他方の手で取り除くべき雑草Ｇを握持して当該雑草Ｇの根元近傍を切り欠き部７に挟み込む。
【００１８】
　このとき切り欠き部７に案内された雑草Ｇは、凹所５がほぼ断面長方形状に形成されていることにより、当該雑草Ｇの根元近傍が切断されることなく、当該凹所５に確実に挟み込まれる。
【００１９】
　この状態において、作業者は、草取具１の保持部３を保持した一方の手を、図３に示した矢印y1方向（他端2b側から一端2a側に向かう方向）に真直ぐに引き寄せることにより、他方の手で握持した雑草Ｇの根元部分に負荷を加え、当該雑草Ｇを根元ごと土壌から引き抜くことができる。
【００２０】
　また、作業者は、切り欠き部７に雑草Ｇを確実に挟み込むことにより、当該雑草Ｇを凹所５の位置で挟持させることができ、かくして他方の手で取り除くべき雑草Ｇを握持することなく、草取具１の保持部３を保持した一方の手を、図３に示した矢印y1方向に真直ぐに引き寄せるだけで、凹所５の位置で挟持された雑草Ｇの根元部分に負荷を加え、当該雑草Ｇを根元ごと土壌から引き抜くことができる。
【００２１】
　さらに、作業者は、刃部４の先端側から切り欠き部７を土壌の中に突き刺していくことにより、土壌内にある雑草Ｇの硬い根元部分を確実に切り欠き部７で挟み込むことができ、かくして当該雑草Ｇの柔らかい根元近傍を切断することなく、当該雑草Ｇを根元ごと土壌から引き抜くことができる。
【００２２】
　以上の構成によれば、草取具１は、雑草Ｇの根元近傍付近を挟み込む切り欠き部７を設けるようにしたことにより、雑草Ｇを切断することなく根元ごと取り除くことかでき、かくして、再び成長することがないように雑草Ｇを取り除くことができる。
【００２３】
　また、草取具１は、切り欠き部７に雑草Ｇを確実に挟み込むことにより当該雑草Ｇを挟持するような凹所５を設けるようにしたことにより、作業者に対して片手でのみ雑草Ｇを取り除かせることができ、かくして作業者の作業効率を一段と向上させることができる。
【００２４】
　さらに、草取具１は、保持部３とほぼ直角に形成された刃部４に沿うようにして切り欠き部７を形成するようにしたことにより、雑草Ｇを取り除く際に直線的に切り欠き部７側（図３に示した矢印y1方向）に草取具１を引き寄せて雑草Ｇの根元部分に対して一方向に負荷をかけることから、多方向から負荷がかかると途中で切れてしまうような柔らかい雑草Ｇであっても容易に土壌から根元ごと引き抜くことができる。
【００２５】
　さらに加えて、草取具１は、雑草Ｇを切断する必要がある場合であっても、草刈鎌にその都度持ち替えることなく、刃部４によって雑草Ｇを切断することもでき、かくして作業者の作業効率を一段と向上させることができる。
【００２６】
　そして、草取具１は、一端2a側に刃部４及び切り欠き部７が設けられていることにより、切り欠き部７によって雑草Ｇを根元から引く抜く際の動作と同じ動作によって刃部４により雑草Ｇを切断することができ、かくして上述と同様に作業者の作業効率を一段と向上させることができる。
【００２７】
　また、草取具１は、刃部材２の先端側が鋭角で、かつ尖るように形成された刃部４を有すことにより、刃部４側から切り欠き部７を容易に土壌内に突き刺していくことができ、かくして土壌内にある雑草Ｇの硬い根元部分を確実に切り欠き部７で挟み込み、当該雑草Ｇの柔らかい根元近傍を切断することなく、一段と確実に雑草Ｇを根元ごと土壌から引き抜くことができる。
【００２８】
　なお、上述の実施の形態においては、切り欠き部７を刃部４が形成されている一端2a側に対してのみ設けるようにした場合について述べたが、本考案はこれに限らず、図１との対応部分に同一符号を付して示す図４のように、切り欠き部７を刃部４が形成されている一端2a側に対して設けると共に、刃部材２の他端2b側に凹所11及び凸所12をもつ第二の切り欠き部（以下、これを第二切り欠き部と呼ぶ）13を設けるようにしても良い。
【００２９】
　この場合、作業者は、一方の手で草取具10の保持部３を保持した状態で、他方の手で取り除くべき雑草Ｇを握持して当該雑草Ｇの根元近傍を第二切り欠き部13に挟み込み、当該草取具１の保持部３を保持した一方の手を、図４に示した矢印y2方向（一端2a側から他端2b側に向かう方向）に真直ぐに押し離すことにより、他方の手で握持した雑草Ｇの根元部分に負荷を加え、当該雑草Ｇを根元ごと土壌から引き抜くことができる。
【００３０】
　このように草取具10は、作業者から遠い位置にある他端2b側の雑草Ｇであっても、第二切り欠き部13によって当該雑草Ｇを根元ごと土壌から引き抜くことができ、かくして図１に示した草取具１に比して作業者の作業効率を一段と向上させることができる。
【００３１】
　また、上述の実施の形態においては、刃部材２の保持部３側に切り欠き部７を設けるようにした場合について述べたが、本考案はこれに限らず、刃部材２の先端側に切り欠き部７を設けるようにしても良い。
【００３２】
　さらに、上述の実施の形態においては、刃部材２の一端2a側に刃部４及び切り欠き部７を設けるようにした場合について述べたが、本考案はこれに限らず、刃部材２の一端2a側に刃部４だけを設け、他端2b側に切り欠き部７だけを設けるようにしても良い。
【図面の簡単な説明】
【００３３】
【図１】本考案による草取具の正面図である。
【図２】刃部材の凹所での断面図である。
【図３】雑草が切り欠き部に挟み込まれた様子を示す略線的斜視図である。
【図４】他の実施の形態による草取具の正面図である。
【符号の説明】
【００３４】
　１、10……草取具、２……刃部材、３……保持部、４……刃部、５、11……凹所、６、12……凸所、７……切り欠き部、13……第二切り欠き部。
【図１】
0003100364.tif 000003
【図２】
0003100364.tif 000004
【図３】
0003100364.tif 000005
【図４】
0003100364.tif 000006